(57)【要約】【課題】高開口数、小型薄肉、多機能化が求められる光学素子は、成形材料を充填するための成形型に形成されるゲート形状や、射出、保圧、冷却などの成形条件をコントロールしても、高精度な転写性の実現による優れた光学特性を有した光学素子を安定して高い歩留まりで得られないという課題があった。【解決手段】光学素子の外径とコバ厚みの形状を異ならせることにより光学素子の光学性能が異なることに着目して、光学素子の外径寸法とコバ厚の関係が転写性に大きく影響することを見出したもので、光学素子の外径をφＧ、光学素子の最薄コバ厚をＫとした時、φＧ／Ｋ≦１２．５の関係に構成したものである。【選択図】図１
2008257261.tif 000002
【特許請求の範囲】
【請求項１】
加熱混練溶融された成形材料を、光学素子成形型に形成されたキャビティ内に射出充填して成形される光学素子であって、
光学素子の外径をφＧ（ｍｍ）、その光学素子の外縁部に形成されたコバ部の最薄コバ厚をＫ（ｍｍ）とした時、φＧ／Ｋ≦１２．５の関係を有したことを特徴とする光学素子。
【請求項２】
光学素子は、光線が通過するレンズ有効径φＬＹ（ｍｍ）とそれよりも若干大きいレンズ加工径φＬＫ（ｍｍ）を有し、レンズ加工径φＬＫ（ｍｍ）の外縁部にはコバ部が形成され、そのコバ部の最薄コバ厚部が前記レンズ加工径φＬＫ（ｍｍ）に隣接しており、さらに、光線の入射面側もしくは出射面側の何れかのレンズ有効径φＬＹ（ｍｍ）に回折面が形成されていることを特徴とする請求項１記載の光学素子。
【請求項３】
光学素子の中心厚みをＴ（ｍｍ）、コバ部の最薄コバ厚をＫ（ｍｍ）とした時、Ｔ／Ｋ≦８．７５の関係を有したことを特徴とする請求項１または請求項２記載の光学素子。
【請求項４】
光学素子を形成する材料が、アクリル系、ポリ炭酸エステル系、ノルボルネン系、非晶質ポリオレフィン系の何れかであることを特徴とする請求項１から請求項３の何れかに記載の光学素子。
【請求項５】
成形材料の射出充填により成形される光学素子の外径部に形成されたゲートが残存していることを特徴とする請求項１から請求項４の何れかに記載の光学素子。
【請求項６】
成形材料を加熱混練溶融し、これをキャビティ内に射出充填して光学素子を成形するための光学素子成形型であって、
光学素子の外径をφＧ（ｍｍ）、その光学素子の外縁部に形成されたコバ部の最薄コバ厚をＫ（ｍｍ）とした時、φＧ／Ｋ≦１２．５の関係を有するキャビティに形成したことを特徴とする光学素子成形型。
【請求項７】
キャビティを構成する光学素子成形型の可動側インサートと固定側インサートのキャビティ形成面には、光学素子に光線が通過するレンズ有効径φＬＹ（ｍｍ）と、それよりも若干大きいレンズ加工径φＬＫ（ｍｍ）の転写面と、光線の入射面側もしくは出射面側の何れかのレンズ有効径φＬＹ（ｍｍ）の転写面には回折面が形成されていることを特徴とする請求項６記載の光学素子成形型。
【請求項８】
キャビティ内への成形材料の射出充填により成形される光学素子の中心厚みをＴ（ｍｍ）、最薄コバ厚をＫ（ｍｍ）とした時、Ｔ／Ｋ≦８．７５である関係を有したことを特徴とする請求項６または請求項７記載の光学素子成形型。
【請求項９】
加熱混練溶融された成形材料を、光学素子成形型に形成されたキャビティ内に射出充填して成形される光学素子成形方法であって、
光学素子の外径をφＧ（ｍｍ）、光学素子の最薄コバ厚をＫ（ｍｍ）とした時、φＧ／Ｋ≦１２．５である関係を有するキャビティが形成された光学素子成形型を用い、前記光学素子成形型をガラス転移点近傍に温度設定し、加熱混練溶融された成形材料を前記キャビティ内に充填後保圧し、かつガラス転移点温度近傍で冷却することを特徴とする光学素子成形方法。
【請求項１０】
光学素子成形型の設定温度がガラス転移点温度を基準に−１０℃から＋１０℃の範囲の温度であることを特徴とする請求項９記載の光学素子成形方法。
【発明の詳細な説明】
【技術分野】
【０００１】
本発明は、例えばデジタルビデオディスクプレヤーやコンパクトディスクプレヤー等の光学機器に使用されるレンズ、プリズム、ミラー等の高精度な光学素子、及びその光学素子の成形に用いる成形型、さらにはその成形方法に関する。
【背景技術】
【０００２】
従来、デジタルビデオディスクプレヤー等に使用されるレンズ等の光学素子の成形は、例えば、特許文献１に開示されているように、成形材料（樹脂ペレット）を加熱混練溶融し、これを成形型のキャビティ内に射出充填して成形する射出成形法が一般的である。
【０００３】
図３は、射出成形法により一度に複数の光学素子を成形中の射出成形機の概略断面図であり、７はホッパ、８は成形材料、９は射出シリンダ、１０は加熱シリンダ、１１はスクリュ、１２はノズル、１３は固定ダイプレート、１４は移動ダイプレート、１５は型締めシリンダ、５は固定側の光学素子成形型、５ａは固定側の光学素子成形型５に埋め込み等により一体に構成された固定側インサート、６は可動側の光学素子成形型、６ａは可動側の光学素子成形型６に埋め込み等により一体に構成された可動側インサート、４はスプルー、３はランナー、２はゲート、１は光学素子である。
【０００４】
光学素子１は前記固定側インサート５ａと可動側インサート６ａの突き合わせ面に形成されたキャビティ１６の形状によって転写成形される。
【０００５】
ホッパ７に投入された成形材料８は加熱シリンダ１０内のスクリュ１１の回転に伴い、ノズル１２の方向へと移動する。この時成形材料８はスクリュ１１および加熱シリンダ１０により加熱混練溶融され、ノズル１２から、スプルー４、ランナー３、およびゲート２が形成される部分を通過して、固定側インサート５ａと可動側インサート６ａの突き合わせ部のキャビティ１６内に射出され充填される。なお光学素子成形型５，６は所定の温度、例えばガラス転移温度以上に設定されており、成形材料８の充填後にこの光学素子成形金型５，６を冷却してキャビティ１６内の成形材料を冷却固化する。これにより光学素子１が取り出し可能な状態となるため、型締めシリンダ１５により可動側の光学素子成形型６を後退移動させることにより、可動側のインサート６ａを後退させてキャビティ１６を開き、成形品を取り出して光学素子１をスプルー４、ランナー３、ゲート２から切り離す。
【特許文献１】特開昭６１−２３３５２０号公報
【発明の開示】
【発明が解決しようとする課題】
【０００６】
近年及び将来多機能化を実現する光学機器装置、例えば、デジタルビデオディスクとコンパクトディスクの双方を再生、記録可能とするマルチタイプの光学機器装置等に必要とされる光学素子は、従来にない高開口数化、小型薄肉化、多機能化（複数の波長に対応可能な光学素子）の傾向にあり、そのために光学素子の光学素子有効面の外側に成形されるコバ部分が薄肉になったり、またレンズ有効径面に微細な段差形状である回折格子を高精度に形成することが望まれ、従来にない高精度、高転写性が要求されている。
【０００７】
前述したような高開口数、小型薄肉、多機能化が求められた光学素子は、成形材料を充填するための成形型に形成されるゲート形状や、射出、保圧、冷却などの成形条件を如何にコントロールしても、高精度な転写性を実現することが難しく、このため優れた光学特性を有した光学素子を安定して高い歩留まりで得ることは困難であった。
【０００８】
また、これらの光学素子は、小径なうえ、微細な表面があり、これまでの光学素子以上に扱いに注意が必要となり、成形後の工程で、例えば、光学素子を保持するためのホルダーへの接着時等の搬送等に細心の注意を払う必要があるばかりか、僅かな外力により光学特性へ悪影響を及ぼすなどの問題も生じていた。
【課題を解決するための手段】
【０００９】
上記課題を解決するため本発明者は、様々な実験検討と見極めを行った結果、光学素子成形型のゲートの形状や、射出、充填、保圧、冷却の条件以外に光学素子の転写性を左右する要因として、光学素子の外径とコバ厚みの形状を変えることにより、得られる光学素子の光学性能が異なることを見出したものである。
【００１０】
これは、高精度な光学素子、特にレンズ有効径に回折面が形成される光学素子においては、その外径寸法とコバ厚の関係が転写性に大きく影響することを意味している。
【００１１】
そして、種々検証の結果、光学素子の外径をφＧ（ｍｍ、以下単位は同じ）、光学素子の最薄コバ厚をＫ（ｍｍ、以下単位は同じ）とした時、φＧ／Ｋ≦１２．５の関係に構成することが望ましいことを見出した。
【００１２】
また本発明にあっては、光学素子１に光線が通過するレンズ有効径φＬＹ（ｍｍ、以下単位は同じ）とそれよりも若干大きいレンズ加工径φＬＫ（ｍｍ、以下単位は同じ）を有し、レンズ加工径φＬＫと最薄コバ厚部は隣接する関係にある。
【００１３】
さらに、光線の入射面側もしくは出射面側の何れかのレンズ有効径φＬＹに回折面が形成されていることを特徴とする。
【００１４】
また、光学素子の中心厚みをＴ（ｍｍ、以下単位は同じ）、最薄コバ厚をＫとした時、Ｔ／Ｋ≦８．７５である関係を有したことを特徴とする。
【００１５】
また、光学素子を形成する材料が、アクリル系、ポリ炭酸エステル系、ノルボルネン系、非晶質ポリオレフィン系の何れかであることを特徴とする。
【００１６】
さらには、キャビティに成形材料を射出充填することによって光学素子の外径部に形成されたゲート部の一部を残存させることも特徴とする。
【発明の効果】
【００１７】
本発明の光学素子、光学素子成形型、光学素子成形方法は、光学素子の外径と光学素子の最薄コバ厚を管理する等により、小径化、薄肉化、高開口数化、高機能化に対応した光学素子を良好な転写性（光学特性）で得ることができ、さらには、光学素子の低コスト化も可能となる。
【発明を実施するための最良の形態】
【００１８】
以下、本発明の実施の形態について図面及び表を参照しながら説明する。
【００１９】
図１は、実施の形態における光学素子の形状概略図で、図１（ａ）は概略上面図、図１（ｂ）は概略断面図、図１（ｃ）は図１（ｂ）の１ｄ部の拡大概略断面図である。図２は、図１に示す光学素子を一度に複数個成形した工程の光学素子成形品の形状概略図で、図２（ａ）は概略上面図、図２（ｂ）は概略断面図である。なお、ここで説明する実施の形態における射出成形機については図３を用いる。
【００２０】
１は光学素子、１ａは光学素子１のレンズ有効径φＬＹを含むレンズ部、１ｂは前記レンズ部１ａの外縁に隣接して一体形成されたコバ部、１ｃはコバ部１ｂの外縁下端面に形成された凸部、２はゲート、３はランナー、４はスプルーである。
【００２１】
レンズ部１ａの有効径φＬＹは、光学素子１に要求される光学特性を生み出すために最小限必要とされる光学作用面のことで、光線の通路になる。
【００２２】
レンズ有効径φＬＹに対応し転写する光学素子成形型５，６のインサート５ａと６ａの突き合わせ面には、レンズ有効径よりも少なくとも成形材料の収縮率０．１〜０．９％程度を見込んだ有効径でキャビティ１６が形成されている。レンズ加工径φＬＫは、レンズ有効径φＬＹよりも若干大きく、具体的には少なくとも成形材料の収縮率０．１〜０．９％程度大きく形成されている。これにより、成形条件の変化に伴う微妙な成形材料の収縮やそりの発生に対応できる。
【００２３】
また、本例で言う最薄コバ厚Ｋとは、前述のレンズ加工径φＬＫと隣接して形成されたコバ部分１ｂの最も薄い部分の厚みである。
【００２４】
本発明者は、図１に示す光学素子の外径φＧ、最薄コバ厚Ｋを種々変化させるべく複数のインサートを製作し、この複数のインサートを光学素子成形型に埋め込み交換してそれぞれ形状寸法が異なる光学素子を成形してこれらの光学特性をそれぞれ評価確認した。この作業の中でそれぞれの光学素子の形状により、成形条件、成形型のゲート形状なども都度条件検討を行い、最適な条件を抽出し、それぞれの光学素子形状での転写性（光学特性）を検証した。
【００２５】
ここで、具体的に光学素子成形方法について説明する。
【００２６】
成形材料としては、非晶質ポリオレフィン系樹脂である三井化学株式会社製の商品名「ＡＰＥＬ」、ガラス転移点Ｔｇ＝１３５℃、熱変形温度Ｔｔ＝１２５℃を用いた。
【００２７】
射出成形機としては図３に示すタイプのもので、光学素子成形型５，６はプリハードン鋼、ステンレス鋼（Ｓ５５Ｃ、ＨＰＭ、ＮＡＫ）等を用いて構成されており、光学素子１のレンズ有効径φＬＹに対応する転写面を形成したインサート５ａ，６ａは超硬合金材料から製作したものを用いた。なお光学素子成形型５，６は前述の材料以外でも射出成形に使用可能なものであれば、何ら問題はない。また、インサート５ａ，６ａの材料として、光学素子１としての表面性が得られる材料であればステンレス鋼（ＳＴＡＶＡＸ）等を基材として、その表面に例えば無電解ニッケルメッキを施したものを加工して用いても問題はない。ただし、強度を考えた場合、超硬合金を基材として用いるのが好ましい。また、離型性の向上や、型の酸化、腐食防止のために表面に保護膜等を施してもよい。
【００２８】
次に前述の光学素子成形型を用いた成形工程を図３を用いて述べる。
【００２９】
ホッパ７に投入された成形材料８は加熱シリンダ１０内のスクリュ１１の回転に伴い、ノズル１２の方向へと移動する。この時成形材料８は、スクリュ１１及び設定温度を２６０℃に設定した加熱シリンダ１０により加熱混練溶融され、同様に２６０℃に加熱されたノズル１２から、スプルー４、ランナー３、及びゲート２の形成部を通過して、光学素子成形型５，６にそれぞれ埋め込まれて一体に構成された固定側インサート５ａと可動側インサート６ａにより構成されたキャビティ１６内に射出充填され、保圧される。
【００３０】
光学素子成形型５，６は所定の一定温度、ここでは、ガラス転移温度Ｔｇの１３５℃と同じ１３５℃に設定保持し、成形材料８がキャビティ１６内に充填が始まると同時に、成
形材料８が冷却されていく。適正な、射出条件、充填条件、保圧条件、光学素子成形型５，６の温度の条件を選択しなければ、所望の光学素子１の光学特性は得られない。特に光学素子成形型５，６の設定温度は重要な要因であり、種々の検証から、光学素子成形型５，６の設定温度はガラス転移点に対して±１０℃の範囲の温度に保持すれば、光学素子成形型５，６の設定温度を成形材料８の充填から冷却までの間に変化させることなく良好な転写性が得られることを見出した。
【００３１】
なお、光学素子成形型５，６の設定温度が前述した範囲よりも高い場合は、光学素子１の充分な冷却が行えず、取り出し後に転写形状が崩れる現象が生じたり、また光学素子成形型５，６の設定温度を前述の範囲よりも低い温度に設定した場合は、溶融した成形材料がキャビティ１６の内面に接触した際に早まる冷却で生じる表面層が、その後の冷却時間を経ても、改善されることはなかった。
【００３２】
前述したように光学素子成形型５，６の温度を所定温度１３５℃に保った状態で、光学素子１の形状に応じて１０〜１８０秒の間、キャビティ１６内で冷却工程を完了した後、可動側の光学素子成形型６を型締めシリンダ１５により後退移動させてキャビティ１６を開き、スプルー４、ランナー３、ゲート２および光学素子１が一体化された状態で成形品を取り出す。
【００３３】
光学素子のレンズ有効部において、上記キャビティ１６の転写面に形成された回折形状形成面に基づいて光線の入射面側もしくは出射面側の何れかには、微細な回折面が形成されている。この回折面形状はマルチタイプの光学機器等に要求される光学素子の光学性能を得ることにあり、その形状は極めて微細な鋸歯形状であるために、成形条件と光学素子としての形状が転写性に大きく影響することが判明した。
【００３４】
特に回折形状である鋸歯形状の転写精度、例えば鋸歯形状のピッチ間隔、鋸歯形状の高さ寸法、鋸歯形状の先鋭度、谷底部の形状等の転写性が光学素子の外径φＧとその光学素子の外縁部に形成されるコバ部の最薄コバ厚Ｋ、また光学素子の中心厚みＴによって大きく変わることが検証により判明した。
【００３５】
ここでは、図１（ｃ）に示すように、光学素子１の光線入射側のレンズ有効径φＬＹのレンズ面に、その光学素子１の光軸を中心とする鋸歯形状が同心円状に複数形成された回折形状が形成されている。この回折形状をなす複数の鋸歯形状はそのピッチ間隔、高さ寸法などが異なり、最も狭いピッチ間隔が５μｍ、最も高い高さ寸法が１．２μｍ、先鋭角部の円弧形状の半径Ｒは０．１μｍである。なお、この回折形状は光学素子１の用途によって所望の形状に設計される。
【００３６】
回折形状を有する光学素子１の成形は、前述したような非常に微細な部分である鋸歯形状の先鋭角部分にまで、成形材料を充填転写しなければ、良好な光学特性が得られない。すなわち、回折形状を有していない光学素子の成形条件（温度や圧力だけの制御）で回折形状を有する光学素子を成形した場合、十分に微細な形状まで転写することが困難で、例えば前述の先鋭角部のＲ形状が０．１μｍで転写されるべきが、例えば転写不十分のＲ形状０．８μｍとなり、初期のレンズ性能を得ることができない。
【００３７】
次に、光学素子の評価について説明する。
【００３８】
まず、成形条件以外にも、光学素子成形型５，６のゲート形状も合わせて検討を行い、それぞれの光学素子形状で最良の転写性が得られるように検討を行った。
【００３９】
転写性の評価は、干渉計を用いて透過波面収差測定により光学特性を確認した。光学特
性が良好であれば、転写性が良好であると判断できる。ここでは透過波面収差測定結果がＲＭＳ収差で４０ｍλ以下（λ≒６５５ｎｍ）であれば良好で、ＲＭＳ収差が４０ｍλより大きければ否というようにそれぞれのサンプル光学素子を測定評価した。
【００４０】
表１に形状が異なる光学素子サンプルの光学特性（転写性）の評価確認結果を示す。表中の○は所望の光学特性が得られ、転写性が良好であることを示し、×は転写性が不充分であったことを示している。
【００４１】
【表１】
2008257261.tif 000003
【００４２】
表１から分かるように、外径φＧ／最薄コバ厚Ｋ≦１２．５の関係が満たされる範囲であれば、良好な転写性が得られるということを見出すことができた。なお、表１において
も外径φＧ、最薄コバ厚Ｋ等の単位はｍｍである。
【００４３】
さらに発明者は、上記の関係が確実で応用性のあるものかどうかを検証するために、複数の成形材料、具体的には、アクリル材料である三菱レイヨン株式会社製の商品名「アクリペット」、ポリカーボネート材料（ポリ炭酸エステル系）である帝人化成株式会社製の商品名「パンライト」、ノルボルネン系材料である日本合成ゴム株式会社製の商品名「ＡＲＴＯＮ」を用い、表２に示すような寸法形状の複数の光学素子１を成形し、これらを前述と同様な評価条件にて検討を行い、転写性を確認した。なお、表中の中心厚Ｔとは、図１（ｂ）に示すように光軸上の光学素子１の厚みを示している。
【００４４】
【表２】
2008257261.tif 000004
【００４５】
この表２から、前述した何れの成形材料も、同様な結果が得られていることが確認できる。
【００４６】
また、上記何れの成形材料においても、光学素子成形型５，６の設定保持温度は、先述した非晶質ポリオレフィン系材料と同様に、ガラス転移点Ｔｇ±１０℃の範囲で有れば良好な転写性が得られた。
【００４７】
本実施の形態の結果から、外径φＧ／最薄コバ厚Ｋ≦１２．５の関係が満たされる範囲
であれば、中心厚Ｔと最薄コバ厚Ｋの比で表される偏肉比＝中心厚Ｔ／最薄コバ厚Ｋが、サンプルＮｏ１４や３０のように８．７５と大きな場合においても、良好な転写性を得ることができた。
【００４８】
また、複数の光学メディア、例えばデジタルビデオディスクとコンパクトディスクの再生と記録の双方を実現するための光学機器装置に要求される光学素子は、小径化、薄肉化、高開口数化、高機能化と共に低コスト化が望まれており、これらを実現するために光学素子は、前述したように良好な転写性、すなわち光学特性を得ることはもちろんのこと、これ以外にも成形後の工程にも工夫が必要である。
【００４９】
この成形後の工程について具体的に説明する。光学素子１の外径φＧが５ｍｍ以下で最薄コバ厚Ｋが０．５ｍｍ以下の比較的小さくコバ厚の薄い素子では、成形後のゲートカット時、光学素子１にこれを保持する際の保持力や、カット時に応力や熱等が発生し、これが原因でせっかく得られたレンズ有効径部の転写性が損なわれて歩留まりが大きく低下する。また、光学素子１を保持するためのホルダーに搬送する際にも保持力や応力がこの光学素子にかかり、扱いに細心の注意が必要である。特に外径が３ｍｍ以下、最薄コバ厚Ｋが０．４ｍｍ以下の小さな光学素子１では生産性が大きく阻害される。
【００５０】
これらの課題を解決するために、本発明では光学素子１の外径部に形成されたゲート部を残存するようにゲートカットを行う。これによりゲートカット時の応力、熱等が光学素子のレンズ有効径部まで影響を及ぼすこともなく、良好な転写性が維持できる。また、ゲートカット時のカット寸法精度も高精度が要求されなくなり、ゲートカットそのものが容易になってゲートカット設備のコストダウンも可能となった。また、残存させたゲート部を利用して、光学素子１を搬送したり、ホルダーに位置決めの目安としてゲート部を用いることが可能となり、生産効率を高めることができる。
【００５１】
本発明は、前述した実施の形態による検証に基づき、前述の要件を満たした光学素子形状、光学素子成形型、光学素子成形方法によって、良好な転写性が得られることを見出したものであり、これにより、光学素子のより小径化、薄肉化、高開口数化、高機能化、低コスト化が実現できる。
【００５２】
なお、上記実施の形態においては、光学素子の何れかのレンズ有効径面すなわち光線の入射面側もしくは出射面側に微細な回折面を形成したものであるが、本発明は、回折面を形成しない光学素子にも当然適用できる。また、光学素子のコバ部に凸部１ｃを設けたもので説明したが、この凸部の形状は、例えば光学素子を保持するホルダーの形状に合わせた形状としたり、光学素子の剛性を上げるために片面だけでなく両面に凸部を設けてもよい。さらに凸部を設けない形状の光学素子であってもよい。
【産業上の利用可能性】
【００５３】
本発明はレンズ、プリズム、ミラー等の高精度な光学素子、及びその成形に関し、例えばデジタルビデオディスクプレヤーやコンパクトディスクプレヤー等の光学機器に使用される光学素子に適している。
【図面の簡単な説明】
【００５４】
【図１】本発明の実施の形態における光学素子の形状概略図で、（ａ）は概略上面図、（ｂ）は概略断面図、（ｃ）は（ｂ）図の１ｄ部分の拡大概略断面図
【図２】本発明の実施の形態である図１に示す光学素子を含む光学素子成形品の形状概略図で、（ａ）は概略上面図、（ｂ）は概略断面図
【図３】本発明の実施の形態における光学素子の成形中の射出成形機の概略断面図
【符号の説明】
【００５５】
１  光学素子
１ａ  レンズ部
１ｂ  コバ部
１ｃ  凸部
２  ゲート
３  ランナー
４  スプルー
５  固定側の光学素子成形型
５ａ  固定側インサート
６  可動側の光学素子成形型
６ａ  可動側インサート
７  ホッパ
８  成形材料
９  射出シリンダ
１０  加熱シリンダ
１１  スクリュ
１２  ノズル
１３  固定ダイプレート
１４  移動ダイプレート
１５  型締めシリンダ
１６  キャビティ
【図１】
2008257261.tif 000005
【図２】
2008257261.tif 000006
【図３】
2008257261.tif 000007